(57)【特許請求の範囲】
【請求項１】
移動局であって、
無線アクセスネットワークから、「Ｐｒｅｓｅｒｖａｔｉｏｎ状態」における所定条件を満たす通信に対するアクセス規制情報を報知情報を介して受信するように構成されている受信部と、
前記移動局が「Ｐｒｅｓｅｒｖａｔｉｏｎ状態」から「Ａｃｔｉｖｅ状態」に遷移する場合に、前記無線アクセスネットワークに対して、接続要求信号を送信するように構成されている送信部とを具備しており、
前記送信部は、前記アクセス規制情報に基づいて、前記所定条件を満たす通信に対する接続要求信号を送信するか否かについて決定するように構成されていることを特徴とする移動局。
【請求項２】
前記送信部は、前記無線アクセスネットワークに対して、前記接続要求信号に対して、該接続要求信号が所定条件を満たす通信に対するものであるか否かについて識別するための情報を含めるように構成されていることを特徴とする請求項１に記載の移動局。
【請求項３】
前記所定条件を満たす通信は、ユーザ操作を伴わないデータの送受信であることを特徴とする請求項１又は２に記載の移動局。
【請求項４】
移動局に対して、「Ｐｒｅｓｅｒｖａｔｉｏｎ状態」における所定条件を満たす通信に対するアクセス規制情報を報知情報を介して通知するように構成されている送信部を具備することを特徴とする無線基地局。
【発明の詳細な説明】
【技術分野】
【０００１】
本発明は、移動局及び無線基地局に関する。
【背景技術】
【０００２】
３ＧＰＰでは、移動局ＵＥのバッテリセービングを目的として、「Ｆａｓｔ  Ｄｏｒｍａｎｃｙ機能」が規定されている（非特許文献１参照）。
【０００３】
かかる「Ｆａｓｔ  Ｄｏｒｍａｎｃｙ機能」によれば、移動局ＵＥは、送信すべきデータが無くなったことを検出した場合に、直ちに、「Ｐｒｅｓｅｒｖａｔｉｏｎ状態」に遷移することができるように、無線アクセスネットワーク（無線基地局ｅＮＢ）に対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信するように構成されている。
【０００４】
ここで、無線アクセスネットワーク（無線基地局ｅＮＢ）は、移動局ＵＥに対して、タイマＴ３２３の値を通知することによって、移動局ＵＥによる「ＳＩＧＮＡＬＬＩＮＧ  ＣＯＮＮＥＣＴＩＯＮ  ＲＥＬＥＡＳＥ  ＩＮＤＩＣＡＴＩＯＮ」の再送間隔を制御することができる。
【先行技術文献】
【非特許文献】
【０００５】
【非特許文献１】３ＧＰＰ  ＴＳ２５.３３１  ８.１.１４章
【発明の概要】
【発明が解決しようとする課題】
【０００６】
しかしながら、既存の「Ｆａｓｔ  Ｄｏｒｍａｎｃｙ機能」では、移動局ＵＥが、「Ｐｒｅｓｅｒｖａｔｉｏｎ状態」に遷移することで、移動局ＵＥのバッテリや無線リソースの消費の抑制効果については期待することができる反面、図５に示すように、移動局ＵＥにおいてアプリケーションによる定期的なデータのような小さいデータ量のデータの送受信が頻繁に行われる場合のように、移動局ＵＥが、頻繁に「Ｐｒｅｓｅｒｖａｔｉｏｎ状態」に遷移したり「Ａｃｔｉｖｅ状態」に復帰したりする場合には、かかる遷移や復帰の繰り返しに起因して信号量が増加してしまうという問題点があった。
【０００７】
そこで、本発明は、上述の課題に鑑みてなされたものであり、「Ｐｒｅｓｅｒｖａｔｉｏｎ状態」への遷移及び「Ａｃｔｉｖｅ状態」への復帰の繰り返しに起因する信号量の増加を抑制することができる移動局及び無線基地局を提供することを目的とする。
【課題を解決するための手段】
【０００８】
本発明の第１の特徴は、移動局であって、無線アクセスネットワークから、「Ｐｒｅｓｅｒｖａｔｉｏｎ状態」における所定条件を満たす通信に対するアクセス規制情報を報知情報を介して受信するように構成されている受信部と、前記移動局が「Ｐｒｅｓｅｒｖａｔｉｏｎ状態」から「Ａｃｔｉｖｅ状態」に遷移する場合に、前記無線アクセスネットワークに対して、接続要求信号を送信するように構成されている送信部とを具備しており、前記送信部は、前記アクセス規制情報に基づいて、前記所定条件を満たす通信に対する接続要求信号を送信するか否かについて決定するように構成されていることを要旨とする。
【０００９】
本発明の第２の特徴は、無線基地局であって、移動局に対して、「Ｐｒｅｓｅｒｖａｔｉｏｎ状態」における所定条件を満たす通信に対するアクセス規制情報を報知情報を介して通知するように構成されている送信部を具備することを要旨とする。
【発明の効果】
【００１０】
以上説明したように、本発明によれば、「Ｐｒｅｓｅｒｖａｔｉｏｎ状態」への遷移及び「Ａｃｔｉｖｅ状態」への復帰の繰り返しに起因する信号量の増加を抑制することができる移動局及び無線基地局を提供することができる。
【図面の簡単な説明】
【００１１】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を示すシーケンス図である。
【図５】従来の移動通信システムの問題点を説明するための図である。
【発明を実施するための形態】
【００１２】
（本発明の第１の実施形態に係る移動通信システム）
図１乃至図４を参照して、本発明の第１の実施形態に係る移動通信システムについて説明する。
【００１３】
本実施形態に係る移動通信システムは、ＬＴＥ（Ｌｏｎｇ  Ｔｅｒｍ  Ｅｖｏｌｕｔｉｏｎ）方式の移動通信システムであってもよいし、ＷＣＤＭＡ方式（Ｗｉｄｅｂａｎｄ  ＣＤＭＡ）方式の移動通信システムであってもよいし、その他の無線アクセスネットワーク方式の移動通信システムであってもよい。
【００１４】
以下、本実施形態では、ＬＴＥ方式の移動通信システムを例に挙げて説明するが、本発明は、ＬＴＥ方式の移動通信システムにも適用可能である。なお、本実施形態に係る移動通信システムは、図１に示すように、無線基地局ｅＮＢ及び移動局ＵＥを具備している。
【００１５】
図２に示すように、本実施形態に係る無線基地局ｅＮＢは、制御部１１と、送信部１２と、受信部１３とを具備している。
【００１６】
送信部１２は、移動局ＵＥに対して、各種信号を送信するように構成されており、受信部１３は、移動局ＵＥから、各種信号を受信するように構成されている。
【００１７】
例えば、送信部２２は、移動局ＵＥに対して、「Ｐｒｅｓｅｒｖａｔｉｏｎ状態」における所定条件を満たす通信に対する規制情報を通知するように構成されていてもよい。
【００１８】
ここで、上述の所定条件を満たす通信は、ユーザ操作を伴わないデータの送受信であってもよい。なお、ユーザ操作を伴わないデータの送受信としては、例えば、「Ｋｅｅｐ  Ａｌｉｖｅ信号」等のアプリケーションによる定期的なデータの送受信等が挙げられる。
【００１９】
また、規制情報としては、例えば、規制率やバックオフタイム等が含まれる。
【００２０】
例えば、受信部２３は、移動局ＵＥから、上述の「ＳＩＧＮＡＬＬＩＮＧ  ＣＯＮＮＥＣＴＩＯＮ  ＲＥＬＥＡＳＥ  ＩＮＤＩＣＡＴＩＯＮ」や「ＲＲＣ  ＣＯＮＮＥＣＴＩＯＮ  ＲＥＱＵＥＳＴ」等を受信するように構成されていてもよい。
【００２１】
制御部２１は、無線基地局ｅＮＢにおける各種制御を行うように構成されている。
【００２２】
例えば、受信部２３が、移動局ＵＥから「ＳＩＧＮＡＬＬＩＮＧ  ＣＯＮＮＥＣＴＩＯＮ  ＲＥＬＥＡＳＥ  ＩＮＤＩＣＡＴＩＯＮ」を受信した場合に、制御部２１は、かかる移動局ＵＥを「Ｐｒｅｓｅｒｖａｔｉｏｎ状態」に遷移させるか否かについて判定するように構成されていてもよい。
【００２３】
なお、制御部２１が、かかる移動局ＵＥを「Ｐｒｅｓｅｒｖａｔｉｏｎ状態」に遷移させると判定した場合、送信部２２及び受信部２３は、移動局ＵＥとの間で、かかる移動局ＵＥを「Ｐｒｅｓｅｒｖａｔｉｏｎ状態」に遷移させるための処理（具体的には、かかる移動局ＵＥのシグナリングコネクションの解放処理）を行うように構成されている。
【００２４】
また、制御部２１は、受信部２３によって受信された「ＲＲＣ  ＣＯＮＮＥＣＴＩＯＮ  ＲＥＱＵＥＳＴ」から、かかる「ＲＲＣ  ＣＯＮＮＥＣＴＩＯＮ  ＲＥＱＵＥＳＴ」が所定条件を満たす通信に対するものであるか否かについて識別するための情報を抽出し、かかる情報に基づいて、所定条件を満たす通信（例えば、ユーザ操作を伴わないデータの送受信）に対する「ＲＲＣ  ＣＯＮＮＥＣＴＩＯＮ  ＲＥＱＵＥＳＴ」及びその他の通信（例えば、ユーザ操作を伴うデータの送受信）に対する「ＲＲＣ  ＣＯＮＮＥＣＴＩＯＮ  ＲＥＱＵＥＳＴ」を区別することができる。
【００２５】
ここで、ユーザ操作を伴うデータの送受信としては、例えば、ブラウジング用データ等が挙げられる。
【００２６】
図３に示すように、本実施形態に係る移動局ＵＥは、受信部２１と、判定部２２と、送信部２３とを具備している。
【００２７】
受信部２１は、無線アクセスネットワーク、すなわち、無線基地局ｅＮＢから、各種信号を受信するように構成されており、送信部２３は、無線アクセスネットワーク、すなわち、無線基地局ｅＮＢに対して、各種信号を送信するように構成されている。
【００２８】
判定部２２は、移動局ＵＥが「Ｐｒｅｓｅｒｖａｔｉｏｎ状態」である場合に開始しようとする通信が所定条件を満たす通信であるか否かについて判定するように構成されている。
【００２９】
例えば、判定部２２は、無線アクセスネットワーク（無線基地局ｅＮＢ）によって通知されたデータ量に基づいて、上述の判定を行うように構成されていてもよい。
【００３０】
例えば、判定部２２は、かかるデータ量よりも小さいデータ量の通信を開始しようとする場合、かかる通信が所定条件を満たす通信であると判定するように構成されていてもよい。
【００３１】
また、判定部２２は、無線アクセスネットワーク（無線基地局ｅＮＢ）によって通知された送信間隔に基づいて、上述の判定を行うように構成されていてもよい。
【００３２】
例えば、判定部２２は、同一アプリケーションにおける同一データ種別の通信が完了してから送信間隔に相当する時間が経過していない場合に、かかる通信が所定条件を満たす通信であると判定するように構成されていてもよい。
【００３３】
なお、かかる送信間隔を管理するタイマは、上述のタイマＴ３２３とは別個のものである。
【００３４】
さらに、判定部２２は、無線アクセスネットワーク（無線基地局ｅＮＢ）によって通知されたデータ種別に基づいて、上述の判定を行うように構成されていてもよい。
【００３５】
例えば、判定部２２は、データの種別が「Ｋｅｅｐ  Ａｌｉｖｅ信号」等のアプリケーションによる定期的なデータの送受信を開始しようとする場合、かかる通信が所定条件を満たす通信であると判定するように構成されていてもよい。
【００３６】
また、受信部２１は、無線アクセスネットワーク（例えば、無線基地局ｅＮＢ）から、報知情報を介して、「Ｐｒｅｓｅｒｖａｔｉｏｎ状態」における所定条件を満たす通信に対するアクセス規制情報を受信するように構成されている。
【００３７】
また、送信部２３は、移動局ＵＥが「Ｐｒｅｓｅｒｖａｔｉｏｎ状態」から「Ａｃｔｉｖｅ状態」に遷移する場合に、無線アクセスネットワーク（例えば、無線基地局ｅＮＢ）に対して、「ＲＲＣ  ＣＯＮＮＥＣＴＩＯＮ  ＲＥＱＵＥＳＴ（接続要求信号）」を送信するように構成されている。
【００３８】
ここで、送信部２３は、かかるアクセス規制情報に基づいて、所定条件を満たす通信に対する「ＲＲＣ  ＣＯＮＮＥＣＴＩＯＮ  ＲＥＱＵＥＳＴ」を送信するか否かについて決定するように構成されている。
【００３９】
また、移動局ＵＥにおいて、「Ｆａｓｔ  Ｄｏｒｍａｎｃｙ機能」が用いられている場合、基本的には、送信部２３は、送信すべきデータが無くなったことを検出した場合に、無線アクセスネットワーク（無線基地局ｅＮＢ）に対して、「ＳＩＧＮＡＬＬＩＮＧ  ＣＯＮＮＥＣＴＩＯＮ  ＲＥＬＥＡＳＥ  ＩＮＤＩＣＡＴＩＯＮ」を送信するように構成されている。
【００４０】
なお、送信部２３は、無線アクセスネットワーク（例えば、無線基地局ｅＮＢ）に対して、「ＲＲＣ  ＣＯＮＮＥＣＴＩＯＮ  ＲＥＱＵＥＳＴ」に対して、かかる「ＲＲＣ  ＣＯＮＮＥＣＴＩＯＮ  ＲＥＱＵＥＳＴ」が所定条件を満たす通信に対するものであるか否かについて識別するための情報を含めるように構成されていてもよい。
【００４１】
以下、図４を参照した、本実施形態に係る移動通信システムの動作について説明する。
【００４２】
図４に示すように、移動局ＵＥは、「Ｐｒｅｓｅｒｖａｔｉｏｎ状態」である場合に、ステップＳ１０００において、送信すべきデータの発生を検出し、ステップ１００１において、無線基地局ｅＮＢから、報知情報を介して、「Ｐｒｅｓｅｒｖａｔｉｏｎ状態」における所定条件を満たす通信に対するアクセス規制情報を受信する。
【００４３】
ステップＳ１００２において、移動局ＵＥは、かかるアクセス規制情報に基づいて、発生したデータに係る通信を開始すべきか否かについて、すなわち、かかる通信に対する「ＲＲＣ  ＣＯＮＮＥＣＴＩＯＮ  ＲＥＱＵＥＳＴ」を送信するか否かについて決定する。
【００４４】
例えば、移動局ＵＥは、かかる通信が、所定条件を満たす通信であると判定した場合には、「Ｐｒｅｓｅｒｖａｔｉｏｎ状態」における所定条件を満たす通信に対するアクセス規制情報に基づいて、上述の決定を行う。
【００４５】
一方、移動局ＵＥは、かかる通信が、所定条件を満たす通信でないと判定した場合には、通常のアクセス規制情報に基づいて、上述の決定を行う。
【００４６】
ステップＳ１００３において、移動局ＵＥは、無線基地局ｅＮＢに対して、「ＲＲＣ  ＣＯＮＮＥＣＴＩＯＮ  ＲＥＱＵＥＳＴ」を送信し、ステップＳ１００４において、無線基地局ｅＮＢは、移動局ＵＥに対して、「ＲＲＣ  ＣＯＮＮＥＣＴＩＯＮ  ＳＥＴＵＰ」を送信し、ステップＳ１００５において、移動局ＵＥは、無線基地局ｅＮＢに対して、「ＲＲＣ  ＣＯＮＮＥＣＴＩＯＮ  ＳＥＴＵＰ  ＣＯＭＰＬＥＴＥ」を送信する。
【００４７】
本実施形態に係る発明によれば、「Ｐｒｅｓｅｒｖａｔｉｏｎ状態」におけるユーザの操作を伴わないデータの送受信に対するアクセス規制情報を用いることによって、「Ｐｒｅｓｅｒｖａｔｉｏｎ状態」における移動局ＵＥからのユーザの操作を伴わないデータの送受信のみを規制することができる。
【００４８】
その結果、頻繁な「Ｐｒｅｓｅｒｖａｔｉｏｎ状態」への遷移及び「Ａｃｔｉｖｅ状態」への復帰の繰り返しを回避することにより、無駄な信号量の増加を回避することができる。
【００４９】
以上に述べた本実施形態の特徴は、以下のように表現されていてもよい。
【００５０】
本実施形態の第１の特徴は、移動局ＵＥであって、無線アクセスネットワーク（例えば、無線基地局ｅＮＢ）から、「Ｐｒｅｓｅｒｖａｔｉｏｎ状態」における所定条件を満たす通信に対するアクセス規制情報を受信するように構成されている受信部１３と、移動局ＵＥが「Ｐｒｅｓｅｒｖａｔｉｏｎ状態」から「Ａｃｔｉｖｅ状態」に遷移する場合に、無線アクセスネットワーク（例えば、無線基地局ｅＮＢ）に対して、「ＲＲＣ  ＣＯＮＮＥＣＴＩＯＮ  ＲＥＱＵＥＳＴ（接続要求信号）」を送信するように構成されている送信部１２とを具備しており、送信部１２は、かかるアクセス規制情報に基づいて、所定条件を満たす通信に対する「ＲＲＣ  ＣＯＮＮＥＣＴＩＯＮ  ＲＥＱＵＥＳＴ」を送信するか否かについて決定するように構成されていることを要旨とする。
【００５１】
本実施形態の第１の特徴において、送信部２３は、無線アクセスネットワーク（例えば、無線基地局ｅＮＢ）に対して、「ＲＲＣ  ＣＯＮＮＥＣＴＩＯＮ  ＲＥＱＵＥＳＴ」に対して、かかる「ＲＲＣ  ＣＯＮＮＥＣＴＩＯＮ  ＲＥＱＵＥＳＴ」が所定条件を満たす通信に対するものであるか否かについて識別するための情報を含めるように構成されていてもよい。
【００５２】
本実施形態の第１の特徴において、上述の所定条件を満たす通信は、ユーザ操作を伴わないデータの送受信であってもよい。
【００５３】
本実施形態の第２の特徴は、無線基地局ｅＮＢであって、移動局ＵＥに対して、「Ｐｒｅｓｅｒｖａｔｉｏｎ状態」における所定条件を満たす通信に対する規制情報を通知するように構成されている送信部１２を具備することを要旨とする。
【００５４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５８】
ＵＥ…移動局
ｅＮＢ…無線基地局
１１…制御部
１２、２３…送信部
２１、１３…受信部
２２…判定部
【図１】
0006008523.tif 000002
【図２】
0006008523.tif 000003
【図３】
0006008523.tif 000004
【図４】
0006008523.tif 000005
【図５】
0006008523.tif 000006